(57)【要約】  分割された滑走面を有する複数部材からなるスノーボードであって、二つの滑走部分（２；３）と滑走部分（２；３）の間に設けられた交換可能な長手方向ウェブ（４または４．１）からなるベースボディと、滑走部分（２；３）と長手方向ウェブ（４または４．１）の間に側方からのスリット（１１）が設けられる点と、および、長手方向ウェブ（４または４．１）がベースボディ（１０）の前部または後部領域（５；６）への移行箇所が半径を有して形成されている点に特徴を有するスノーボード。
2012509725.tif 000002
【特許請求の範囲】
【請求項１】
分割された滑走面を有するスノーボードであって、二つの隣接する滑走部分（２；３）により境界づけられる開口部分を中央に有するベースボディ（１０）と、滑走部分（２；３）の間に配置される交換可能な長手方向ウェブ（４）とからなり、この長手方向ウェブが、前記開口部分をカバーしているスノーボードにおいて、
滑走部分（２；３）と交換可能な長手方向ウェブ（４）の間に側方からのスリット（１１）が設けられ、および、長手方向ウェブ（４）がベースボディ（１０）の前部及び後部領域（５；６）に移行する箇所が半径を有して形成されていることを特徴とするスノーボード。
【請求項２】
長手方向ウェブ（４）が、スノーボーダーのための起立面として形成されており、および滑走面（２；３）と長手方向ウェブ（４）の間のスリット（１１）が、５ｃｍまでの高さを有することを特徴とする請求項１に記載のスノーボード。
【請求項３】
滑走面（２；３）が、その長手方向においてカービング（９）を有して形成されており、および滑走面（２；３）の表面上にクリアランス要素（８）が、固定式または可変式に、および交換可能に設けられることが可能であるか、または、ビンディングと組み合わせられることが可能であることを特徴とする請求項１または２に記載のスノーボード。
【請求項４】
クリアランス要素（８）の滑走面（２；３）に対する解除可能な接続が、インサート（７；１３）またはガイドレールを介して行われ、ビンディングと組合わせられることが可能であるか、または図３に明らかなように、交換可能な長手方向ウェブ４．１と組合せられるか、または交換可能な長手方向ウェブ４．１に統合されることが可能であることを特徴とする請求項１から３のいずれか一項に記載のスノーボード。
【請求項５】
ウェブが、解除可能な接続（１３）を介して、およそインサートのように、交換可能にベースボディ（１０）と接続されることが可能であることを特徴とする請求項１から４のいずれか一項に記載のスノーボード。  
【発明の詳細な説明】
【技術分野】
【０００１】
本発明は、請求項１の上位概念に係る、交換可能なウェブと分割された滑走面を有するスノーボードに関する。  
【背景技術】
【０００２】
近年、スノーボードのデザインと、技術上の実施可能性に関するさまざまな解決策が公知となった。これらの変更は、従来からの構造を有する一部品式のスノーボードにも、分割された実施形のスノーボードにも関係している。
【０００３】
特に、分割された実施形のスノーボードの形成によって、スノーボードの支持構造と柔軟性は改善され、その際これは、スノーボードの柔軟性が、スノーボードの走行特性に著しい影響を及ぼすという一般的知識に端を発しており、これは異なって形成されたコース上での走行の考慮のもとである。更に、スノーボードのカーブ走行の際の特性は、そのカービングによって決定される。
【０００４】
スノーボードの、高さ方向に関する柔軟性、つまり、スノーボードが、上方または下方動作する際に自身の長手方向端部に抵抗するばね抵抗は、走行特性に著しい影響を与える。スノーボードが、雪の上で平らに載置されて長手方向に滑るとき、正しく見積もられた柔軟性によって、以下の点、つまり両長手方向端部を有するスノーボードが、上方向への曲げを、その底部のくぼみ部においてスノーボードの中央領域に関して実施され、そして背部または丘陵部において、所定の対抗曲げが実施されることが保証される必要がある。
【０００５】
スノーボードの走行特性への別の重要な影響は、長手方向におけるスノーボードのねじれ強度または「歪曲可能性」（トーション）が有している。この値は、特に走行安定性とカーブ走行時における負荷切り替えに影響を与える（スノーボードの一方のエッジから他方のエッジへと走行する際の活性度）。
【０００６】
カーブ走行の際のスノーボードの特性は、一方では前述したスノーボードのねじれ強度または「歪曲可能性」（トーション）によって影響されるが、また、そのカービング（スノーボードの中央部分は、通常、スノーボードの長手方向端部よりも狭い幅を有する）によっても、さらに他方では各カーブ内側の長手方向エッジの柔軟性によっても影響される。カーブ走行の際には、スノーボードは斜めに立てられ、すなわち側方に傾けられるので、実践では、その、カーブ内側の長手方向エッジのみが雪と接し、一方、カーブ外側の長手方向エッジは、多かれ少なかれ雪から持ち上げられる。
【０００７】
特許文献１は、一部品のボディ板を有するスノーボードを記載する。このスノーボードにおいては、ボディ板は、基本的にその長手方向中央軸に沿って延在するスリットを有しており、このスリットは、ボディ板の後端部から、少なくともその中央部分まで伸び、そしてそのようにして二つの互いに分離した脚部を形成する。これら脚部は、一部品である前部分によって互いに接続されている。設けられるスリットは、スノーボードの滑走面を部分的に二つの互いに分離された滑走面に分割し、このことは、滑走抵抗の面で好ましく作用し、ただし、中央部分のカービングが大幅に減少されることによって、典型的なスノーボードの形をかなり変更するので、これはカーブ走行の際に否定的に作用する。
【０００８】
特許文献２は、分割された滑走面を有するスノーボードを記載する。このスノーボードによって、スノーボードのより良好な圧力分配曲線が達成されるべきである。この解決策の問題点は、分割された両滑走面は、当然、走行機能のために接続される必要があるので、望まれるメリットもまた達成される。これは、スタンディングプレートと滑走面の間で、両方の滑走部分に設けられるばねおよび緩衝クリアランス要素によって達成されるべきである。この接続方式は、技術的にも経済的にも極めて高コストであり、その際、この解決策においては、スノーボードからスポーツシューズに対しての他の接続方法が必要となり、この接続方法は、従来のビンディング実施形に対して異なっており、かつその実施は極めて複雑である。
【０００９】
実用新案登録出願に係る文献３または４は、長手方向ウェブを形成し、分割した走行面を有するスノーボードを記載する。この長手方向ウェブは、スノーボードに固定接続されている。このスノーボードは、一つのピースから成っており、スノーボードの形に関する変化も、スノーボードと走行ウェブの異なる材料の組合せも可能としない。
【先行技術文献】
【特許文献】
【００１０】
【特許文献１】独国実用新案登録  第２０１１３７３９号  明細書
【特許文献２】独国特許出願公開  第１９８２０６１９Ａ１号  明細書
【特許文献３】独国実用新案登録  第２０３０６２４４．０２号  明細書
【特許文献４】欧州特許  第１６１５７０６号  明細書
【発明の概要】
【発明が解決しようとする課題】
【００１１】
この発明の課題は、直線走行およびカーブ走行における走行特性並びに、構造および構造的形態さらにはデザインの柔軟性を改善する、分割された滑走面を有するスノーボードを開発することである。
【課題を解決するための手段】
【００１２】
この課題は、発明に従い、請求項１に記載の特徴により解決される。特別な実施形、および有利な解決策は、下位の請求項に記載される。
【００１３】
その際、本発明は、実践において実証された従来のスノーボードの特性が、その造形、実施態様および製造方法に関して大幅に維持され、しかし、スノーボードの使用特性が、公知の解決策に対して著しく改善されるべきであるという知識に端を発している。
【００１４】
このようにして、一つのベースボディからなるスノーボードが完成され、このベースボディは、従来のスノーボードと同一である。中央において、スノーボードは、およそ８ｃｍから１０ｃｍの幅で、かつ、およそ７０ｃｍから８０ｃｍの長さのスリット、開口部分を形成されており、その上、スノーボードのベースボディと接続可能なウェブがベースボディに設けられており、その態様は、長手方向ウェブがスノーボードの使用の際に走行地面、コースと接触しないような態様である。これは、長手方向ウェブが、ベースボディに対して所定の間隔を有して設けられることを意味する。
【００１５】
上述した程度は、スノーボードの質量と達成しようとする走行特性に応じて変化する。渓谷にかかる橋のように、ウェブは生じるスリットを、ボードの前および後部分で接続する。
【００１６】
好ましくは、スクリュー接続（インサート）により、まったく同一のボードを、ウェブによって異なる形状および特性と結びつけることが可能である。ビンディング収容部は、通常通りボードの中央で、ウェブ上に存在している。この構造により、コースに対して好ましくはおよそ２ｃｍから５ｃｍの高低差が生じる。かかとおよびつま先において生じるスノーボードの走行面または滑走部分に対する高低差は、適切な間隔部品によって埋められる。交換可能なウェブは、多様なデザイン上の造形可能性のみならず可能とする。個々の顧客要求が、よって、特に対応可能である。したがってウェブは、例えば、従来のボードとは異なる軽量の材料で製造することができる。これによって軽量構造もまた基本思想に取り入れられる。ウェブは、ある種、スノーボードの「魂」を意味する。様々な特性／硬さ度合いを有する異なる材料からなるウェブは、スノーボーダー達の愛好を受け使用され、そして全ボードに対してポジティブに働く。
【００１７】
本発明の主題においては、一つのベースボディ及び交換可能なウェブからなるスノーボードが取り扱われる。ボードは、その長手方向形状において、そのスノーボードの滑走面を形成する側方滑走部分と、中央に、高められた長手方向ウェブの形式の起立面を形成されるよう製造されている。
【００１８】
その際、滑走部分と長手方向ウェブが、スノーボードの前および後ろ部分で、特にインサートを介して、スノーボードの前部ピースと末尾ピースとに移行しそして固定されているように、これらがボード内で形成されていることが本発明に属している。これによって複数部品のスノーボード（少なくとも２部品）が、分割された滑走面を有して完成される。その際、完成されたスノーボードが、一部品のスノーボードのメリットも発揮するか、または、一つにまとまるので、スノーボードの幅が前部分および後部分において、従来のスノーボードのそれに一致するという点に、特に重点がおかれる。スノーボードが中央部分でカービングを有しており、このカービングが、両滑走部分の長手方向形状により形成されていることが、本発明の枠内にある。
【００１９】
滑走部分の下側が、スノーボードの滑走面を意味する一方、スポーツマンがスノーボードに起立する起立面は、長手方向ウェブによって形成されており、この長手方向ウェブが、対応する収容部、例えばインサートとともに形成され、このインサートに対して慣習上のビンディングが固定されることが可能である。長手方向ウェブは、その際、両側方滑走部分に対して好ましくは２ｃｍから５ｃｍの間隔を有して形成されているので、両滑走面は、その滑走部分により形成され、これらがスノーボードの前部および後部の完全な滑走部分へと移行している。
【００２０】
交換可能で、高さを設けられた長手方向ウェブを有するスノーボードの形成は、以下の基本的なメリットに貢献する。つま先とかかとの滑走面への力伝達は、間隔部品を介して、従来のボードにおいてよりも大幅に正確となる。これによってこのボードは、より良好なカービングと、より活性的なカーブ挙動を可能とする。高められた位置は、より簡単な走行と、これにより改善される走行快適性を可能とする（てこの効果）。
【００２１】
その上、スノーボードの柔軟性も高められる。これは、特別な構造と、ウェブを製造するために部分的に、従来のスノーボードと異なる材料を様々に使用することとに基づいて起こる。スノーボードのねじれ強度／歪曲可能性（トーション）の改善および変更は、交換可能なウェブによって（その異なる材料構造と特性によって）、同様にスノーボードの走行特性に肯定的に作用する。このスノーボードは、今や、スノーボードの愛好家に多種多様に対応する。特別な構造は、スノーボードの滑走抵抗を減少させる。これは、すでに挙げたとおり、分割された滑走面と交換可能なウェブの形成によって達成される。
【００２２】
長手方向ウェブの高められた形成は、スノーボードの柔軟性の向上のみでなく、取扱い性の向上、特にカーブ走行におけるものももたらす。長手方向ウェブと両側方滑走部分の間に生じる高低差またはビンディングの滑走部分に対する間隔は、様々な可能性により補償されることが可能である。例えば、高低差を、各スキーブーツのビンディングの領域における滑走部分の表面にもたらされるクリアランス要素によって補償する可能性がある。このクリアランス要素は、滑走部分と長手方向ウェブの間の高低差に相当する厚みを有している。
【００２３】
クリアランス要素は、スキーブーツの固定に類似した実施形で、長手方向ウェブ上で交換可能かつスライド可能または調整可能に滑走部分上に設けられるか、またはスキーブーツビンディングと組み合わせられることが可能である。長手方向ウェブと滑走部分の間の高低差を切り抜ける別のバリエーションは、クリアランス要素を、長手方向ウェブと、または長手方向ウェブに統合するという可能性を提供する。デザイン的なイメージは、ここで境界を設定しない。
【００２４】
いずれにせよ、特につま先とかかとを介して滑走面への、最善な脚部の力伝達のために、クリアランス要素をスノーボードの（雪上での）使用の際に、ボードおよびスノーボードビンディングと、特につま先またはかかとにおいて、しっかりと接続するのが得策である。これによって、例えばつま先で、つま先の方を向いた滑走面側に圧力をかけた際に、同時にかかとで、他の滑走面側にかかとの引っ張りを生じさせたり、逆を行ったりすることが保証される。これは、いわゆる「グリップ」、コース上でのスノーボードのホールドを高める。すでに記載した通り、クリアランス要素は、別の実施バリエーションでは、スキーブーツビンディング、つま先部分およびかかと部分におけるその載置面に設けられることができ、またはウェブと組み合わせて接続し、または、長手方向ウェブに統合されることが可能である。間隔の程度は、いずれにせよ、長手方向ウェブとスノーボードの滑走部分の間の高低差に対応している。
【００２５】
本発明は、スノーボーダーの要求または要望と、様々なその足位置、つまり「レギュラー」や「グーフィー」でスノーボードを走らせることの間に妥協無く対応する。同時に、スノーボードの使用の際に、圧力が滑走面上で高まり、そして安定性が向上する。
【００２６】
スノーボード上での足位置の変化は、本発明にしたがい、長手方向ウェブ上で、または内で、スノーボードの長手方向におけるガイドレール、インサートが設けられ、この中でスキーブーツビンディングが収容部を有し（finden）、この収容部が、スノーボードの長手方向におけるガイドレール内で調整可能であることによって達成される。
【００２７】
完成されるスノーボードの複数部材からなる形成は、その製造に関してもまたメリットを与える。よってスノーボードは、その滑走面とともに、金属、プラスティック、プラスティックファイバー、様々な木種の天然繊維、ケブラー、カーボンアラミドファイバー、他の結合材料および再使用材料、または開発中にある材料のような公知の材料から製造することができる。ウェブは交換可能であるから、独立した製造フェーズにおける独立した製造ステップにおいて製造することができ、当然、前述した材料と同様の材料から、しかしながらまた付属するスノーボードと異なる材料コンビネーションから製造されることも可能である。これによって、すでに記載した走行特性のためのメリットが生じる。
【００２８】
以前使用したスノーボードと異なる走行特性（例えば、より柔らかい、より硬い、回りやすい、アグレッシブである、ソフトである）を有するべきというスノーボードに対する要求がある場合、新しいボードを購入することは必然的ではなく、この要求は、ユーザーの要求に対応し、かつボードに対してポジティブに作用するウェブを取付けることによって達成される。よってボードは、材料およびリソースの再利用またはリサイクルの思想の一端を担う。材料の選択は、結果として、スノーボードに肯定的に作用する製造上と経済上の制約に合わせられる。
【００２９】
全体として、スノーボードの走行面と滑走するコースの間の滑走抵抗を減少し、柔軟性を向上し、ねじれ強度／歪曲可能性（トーション）に影響を与え、そしてスノーボードの走行安定性を高める本発明に係るスノーボードが完成される。
【００３０】
このスノーボードは、複数のスノーボードタイプの特性を、つまりレースボード、オールラウンドボードや、深雪のためのボードの特性を、適切な幅により統合し、またはいわゆる「ファンパーク」のためのスノーボードの特性を適切な構造（ウェブまたはボード／滑走ボディの材料使用）により統一する。
【００３１】
いかに本発明を、添付の図面の下に、一実施例に基づき詳細に説明する。
【図面の簡単な説明】
【００３２】
【図１】スノーボードの側面図
【図２】交換可能な長手方向ウェブを有する図１の上面斜視図
【図３】長手方向ウェブをセットしていない状態のスノーボード、別の実施バリエーションの長手方向ウェブおよびそのスノーボード上での配置の上面斜視図
【図４】スキーブーツを載置されたスノーボード
【図５】図４の詳細図
【発明を実施するための形態】
【００３３】
図１および２の描写から、スノーボード１の全体の形成が直接に生じる。スノーボード１が、複数部材のスノーボードとして形成されている点が示されている。スノーボード１は、両滑走部分２および３からなる。これら滑走部分は、スノーボード１の両長手方向側に形成されている。滑走部分２、３は、互いに所定の間隔を空けている。これは、交換可能な長手方向ウェブ４の位置および造形によって形成され、この長手方向ウェブは、組付け／固定の後に、固定部収容部１３を介してスノーボード１に、スノーボード１の前部分５からスノーボード１の後部分６に延在しており、そして、長手方向ウェブ４が滑走部分２，３の表面に対して所定の間隔、５ｃｍまでの高さを有するよう形成されている。滑走部分２，３は、その外側のエッジにおいて、内側に湾曲しており、この内側湾曲が、スノーボード１のカービング９を形づくっている。交換可能な長手方向ウェブ４の表面は、スノーボーダーの起立面１２（図４）として使用され、その際、固定されるスキーブーツビンディングの領域にインサート７が設けられ、このインサートに対してスキーブーツビンディングが締結されている。インサート７の領域において、スノーボード１を横切る方向に、クリアランス要素８が存在している。これは、図２において明らかなように、滑走部分２，３の表面上に、高さ調整として設けられ、ビンディングと組み合わせられるか、または図３のように、交換可能な長手方向ウェブ４．１と組合わせられ、交換可能な長手方向ウェブ４．１に統合されることが可能である。  
【００３４】
スノーボーダーのブーツのつま先とかかとは、ここでクリアランス要素の上に載置され、そしてサポートされている。これによってスノーボーダーの足の動きがスノーボード１の滑走部分に直接伝達され、そして意図されない傾斜運動が回避されるということが保証される。
【符号の説明】
【００３５】
１    スノーボード
２    滑走部分
３    滑走部分
４    長手方向ウェブ
５    前部分
６    後部分
７    インサート
８    クリアランス要素
９    カービング
１０    ベースボディ
１１    スリット
１２    起立面
１３    固定部収容部
【図１】
2012509725.tif 000003
【図２】
2012509725.tif 000004
【図３】
2012509725.tif 000005
【図４】
2012509725.tif 000006
【図５】
2012509725.tif 000007
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
分割された滑走面を有するスノーボードであって、二つの隣接する滑走部分（２；３）により境界づけられる開口部分を中央に有するベースボディ（１０）と、滑走部分（２；３）の間に配置される長手方向ウェブ（４）とからなり、この長手方向ウェブが、前記開口部分をカバーしており、およびこの長手方向ウェブにつま先およびかかとを有するスノーボーダーの足を収容するためのスキーブーツビンディングが設けられているスノーボードであって、滑走部分（２；３）と長手方向ウェブ（４）の間に側方からのスリット（１１）が設けられ、および、長手方向ウェブ（４）がベースボディ（１０）の前部及び後部領域（５；６）に移行する箇所が半径を有して形成されているスノーボードにおいて、 長手方向ウェブ（４）が、滑走部分（２；３）の間に、交換可能に設けられていること、および、  スノーボーダーのつま先およびかかとの載置のために、長手方向ウェブ（４）において、スノーボードを横切る方向に、クリアランス要素（８）が設けられ、およびこのクリアランス要素（８）が滑走部分（２；３）と解除可能に接続されていることを特徴とするスノーボード。
【請求項２】
長手方向ウェブ（４）が、スノーボーダーのための起立面として形成されており、および滑走面（２；３）と長手方向ウェブ（４）の間のスリット（１１）が、５ｃｍまでの高さを有することを特徴とする請求項１に記載のスノーボード。
【請求項３】
滑走面（２；３）が、その長手方向においてカービング（９）を有しており、およびクリアランス要素（８）が、固定式または可変式に、および交換可能に設けられ、または、ビンディングと組み合わせられることを特徴とする請求項１または２に記載のスノーボード。
【請求項４】
クリアランス要素（８）の滑走面（２；３）に対する解除可能な接続が、インサート（７；１３）またはガイドレールを介して行われることを特徴とする請求項１から３のいずれか一項に記載のスノーボード。
【請求項５】
ウェブが、解除可能な接続（１３）を介して、およそインサートのように、交換可能にベースボディ（１０）と接続されることが可能であることを特徴とする請求項１から４のいずれか一項に記載のスノーボード。   
【国際調査報告】
2012509725.tif 000008
2012509725.tif 000009
2012509725.tif 000010
2012509725.tif 000011